(57)【要約】      （修正有）【課題】パッシブガスサンプリング装置の択一的な構成を提供する。【解決手段】装置２が、呼吸ガス流の一部を測定室６に受動的に分流するための、管４内に配置された部材８を有しているようにした。また、部材８が、先端部と基底部とを有するほぼ矢じり状の伸張薄板から成っており、当該部材８が、伸張部にわたって部分的に湾曲されており、更に、前記薄板が先端部では管状輪郭を有し、基底部ではフラットな輪郭を有するように、中心軸線に関して先端部から基底部へ拡径する部分を湾曲した構成とした。【選択図】図１
2004170419.tif 000002
【特許請求の範囲】
【請求項１】
呼吸システム内の呼吸ガスのパッシブガスをサンプリングするための装置（２；１２）において、該装置（２；１２）が、呼吸ガス流の一部を測定室（６；１６）に受動的に分流するための、管（４；１４）内に配置された部材（８；１８）を有していることを特徴とする、パッシブガスサンプリング装置。
【請求項２】
部材（８）が、先端部と基底部とを有するほぼ矢じり状の伸張薄板から成っており、当該部材（８）が、伸張部にわたって部分的に湾曲されており、更に、前記薄板が先端部では管状輪郭（Ｅ）を有し、基底部ではフラットな輪郭（Ａ）を有するように、中心軸線（１０）に関して先端部から基底部へ拡径する部分を湾曲されている、請求項１記載の装置。
【請求項３】
部材（１８）が、ほぼＴ字形の交差区分を有するデフレクタから成っており且つ軸部を以て測定室（１６）に向かって配置されている、請求項１記載の装置。
【請求項４】
呼吸システム内の呼吸ガスのパッシブガスをサンプリングするための装置（２０）において、該装置（２０）が、吸気フローを受容するための第１の接続部（２２）と、呼気フローを圧出するための第２の接続部（２４）と、吸気フローを圧出し且つ呼気フローを受容するための第３の接続部（２６）と、測定室（２８）とを有しており、第１の接続部（２２）と第３の接続部（２６）とが、それぞれ別個に受容した吸気フローと呼気フローとを、測定室（２８）に向かってほぼ真っ直ぐに案内するように装置（２０）が構成されていることを特徴とする、パッシブガスサンプリング装置。
【発明の詳細な説明】
【技術分野】
【０００１】
本発明は、呼吸システム内の呼吸ガスのパッシブガスをサンプリングするための装置に関する。
【背景技術】
【０００２】
人工呼吸器や麻酔装置のような呼吸システムでは、呼吸ガスは定期的に分析されている。このことは、「メインストリームアナライザ」を備えたメインサプライにおいて直接に行われるか、又はガスサンプルを測定室（「サイドストリームアナライザ」）へ分流することによって行われてよい。
【０００３】
ガスサンプルの分流は、能動的にはポンプ等によって、又は受動的には例えば圧力室の入口と出口との間に差圧を発生させることによって行うことができる。後者の一例は米国特許第６４５０９６８号明細書に記載されている。
【特許文献１】米国特許第６４５０９６８号明細書
【発明の開示】
【発明が解決しようとする課題】
【０００４】
本発明の課題は、パッシブガスサンプリング装置の択一的な構成を提供することである。
【課題を解決するための手段】
【０００５】
この課題を解決するために本願発明では、装置が、呼吸ガス流の一部を測定室に受動的に分流するための、管内に配置された部材を有しているようにした。
【発明の効果】
【０００６】
本発明の有利な改良及び構成は、請求項１の従属請求項に記載されている。
【０００７】
ガスサンプルは、呼吸ガス流から当該ガスサンプルを測定室へ分流する部材を使用して、容易に受動的に得られる。前記部材は、ガスサンプルを効率的に分流するための様々な形状を取ることができ、更に、ガスサンプルを１つ又は２つの流れ方向に分流するために設計されてよい。
【０００８】
前記課題は、上で述べた装置に加えて、請求項４の特徴部記載の装置によっても解決される。
【０００９】
この解決手段は同じ原理に基づくものであるが、ガスサンプルを分流する部材の代わりに、ここでは原則として全ガス流が測定室を強制的に通過させられるように、実際の装置が設計されている。
【発明を実施するための最良の形態】
【００１０】
以下に、本発明を実施するための最良の形態を図面につき詳しく説明する。
【００１１】
図１には、本発明による装置の第１実施例２が示されている。この装置２は管４内に配置されている。ガスサンプルは、例えば光学的、音響的又は電気化学的ないくつかの公知の分析法によって測定室６内で分析されてよい。
【００１２】
ガスサンプルは、管４内に配置された部材８を介して測定室６へ導入される。部材８は、ガスサンプルを測定室６に導入するために湾曲されている。図２に示したように、部材８は中心軸線１０を中心としても湾曲されている。図２の下部には、部材８の異なる区分における輪郭が示されている。第１の区分Ａは、部材８の基底部が直線的であることを示している。第２の区分Ｂについても同様である。次いで部材８は、第３の区分Ｃ及び第４の区分Ｄにおいて示したように連続的に湾曲されている。最終的に部材８の先端部は、第５の区分Ｅで示したようにほぼ円形のリングになっている。
【００１３】
中心軸線１０を中心とした連続的な湾曲は、測定室６内へのガスサンプルの流れの最適化に寄与する。
【００１４】
図３には、本発明による装置の第２実施例１２が示されている。この装置１２は管１４内に配置されている。ガスサンプルは、いくつかの公知の分析法によって測定室１６内で分析されてよい。部材１８は、ガスサンプルを測定室１６に導入するために管１４内に配置されている。
【００１５】
第１実施例とは異なり、当該の第２実施例の装置１２は、管１４内の２つの流れ方向でガスをサンプリングするために設計されている。このことは、両方向で伸張部を有する部材１８を供給することによって行われてよい。従って、装置１２は患者の近くに配置して、吸気・呼気の両作用中にガスをサンプリングするのに適している。
【００１６】
このガスサンプルが一方の側から（ガスが左から右へ流れる場合は図面左側から、ガスが右から左へ流れる場合は図面右側から）導入されると同時に、測定室１６の内容物は（左右別に）他方の側を介して押し退けられる。
【００１７】
図４には、本発明による装置の第３実施例２０が示されている。
【００１８】
この装置２０は、呼吸装置（図示せず）からの吸気フローを受容するための第１の接続部２２、呼気フローを圧出するための第２の接続部２４及び患者（図示せず）へ吸気フローを圧出し且つ該患者からの呼気フローを受容するための第３の接続部２６を有している。測定室２８は装置２０内に形成されており、ガスサンプルを公知の方法で分析可能である。装置２０は、第１の接続部２２と第３の接続部２６とが別個に、受容した吸気フローと呼気フローとをほぼ直線的に測定室２８の方へ導くように設計されている。
【００１９】
測定室２８は、ほぼ完全に装置２０内の流れ通路に対して開いているので、実際にはメインストリームアナライザとサイドストリームアナライザの間の中間物を構成している。この場合、呼吸ガス流は測定室２８に向かうので、ガスサンプルは吸気・呼気の両作用中に効率的に交換される。
【００２０】
上で説明した各実施例は容易に組み合わせることができる。例えば、図１に示した部材８の設計を、図３に示した部材１８のために用いることも可能である。
【図面の簡単な説明】
【００２１】
【図１】本発明による装置の第１実施例を示した図である。
【００２２】
【図２】本発明による装置の第１実施例に設けられた部材を示した図である。
【００２３】
【図３】本発明による装置の第２実施例を示した図である。
【００２４】
【図４】本発明による装置の第３実施例を示した図である。
【符号の説明】
【００２５】
２，１２，２０  本発明による装置、  ４，１４  管、  ６，１６，２８  測定室、  ８，１８  部材、  １０  中心軸線、  ２２  第１の接続部、  ２４  第２の接続部、  ２６  第３の接続部
【図１】
2004170419.tif 000003
【図２】
2004170419.tif 000004
【図３】
2004170419.tif 000005
【図４】
2004170419.tif 000006